(57)【要約】  【課題】冷蔵庫の底部を低くすることで使い勝手と容積効率を向上させ、同時に、化粧カバーによる冷蔵庫の安全性および美観の維持、または、冷蔵庫の底部の容易な高さ調整が可能な冷蔵庫を提供する。  【解決手段】貯蔵室を有する冷蔵庫本体１０１と、冷蔵庫本体１０１の前面より突き出て固定されている足取付部１５４、および、足取付部１５４に取り付けられ、冷蔵庫本体１０１の底面の床からの高さを調節できる調節足１５５を有する脚部１２２とを備える冷蔵庫であって、さらに、足取付部１５４に嵌め合わせることにより、取り付けられた化粧カバー１６１を備える。また、回転により、冷蔵庫本体１０１の底面の床からの高さを調節できる調節足１５５は、足取付部１５４の冷蔵庫本体１０１の前面より突き出た部分よりも、径方向に突き出した突出部を有する。【選択図】図２
2008069999.tif 000002
【特許請求の範囲】
【請求項１】
貯蔵室を有する本体と、前記本体の底部に固定されており、前記本体の前面より突き出ている足取付部、および、前記足取付部の前記本体の前面より突き出た部分に取り付けられ、前記本体の底面の床からの高さを調節できる調節足を有する脚部とを備える冷蔵庫であって、前記足取付部の前記本体の底面より突き出ている部分に設けられた第１の嵌合部と、自身が有する第２の嵌合部との嵌め合わせにより取り付けられている化粧カバーを備えることを特徴とする冷蔵庫。
【請求項２】
貯蔵室を有する本体と、前記本体の底面に固定されており、前記本体の底面より突き出ている足取付部、および、前記足取付部の前記本体の底面より突き出た部分に螺合し、回転により、前記本体の底面から床までの高さを調節できる調節足を有する脚部とを備える冷蔵庫であって、前記調節足は、前記足取付部の前記本体の底面より突き出た部分よりも、径方向に突き出した突出部を有することを特徴とする冷蔵庫。
【請求項３】
前記突出部は、さらに、径方向の外縁に、回転軸と平行な方向に突き出た複数の爪を有することを特徴とする請求項２に記載の冷蔵庫。
【請求項４】
前記調節足は、雄ネジを有し、当該雄ネジの先端には、当該雄ネジの軸と垂直方向に溝が刻まれていることを特徴とする請求項２に記載の冷蔵庫。
【発明の詳細な説明】
【技術分野】
【０００１】
本発明は、冷蔵庫に関し、特に、冷蔵庫の前方底部の構造に関する。
【背景技術】
【０００２】
一般的な冷蔵庫の概観について、図７を参照して説明する。図７は、冷蔵庫１を横から見た外観を示す図である。本図に示す冷蔵庫１は、冷蔵庫本体２と、ローラー３と、足取付部４と、調節足５とから構成される。
【０００３】
冷蔵庫本体２は、冷蔵室や冷凍室等の複数の区画に区分された貯蔵室を内部に備える。これらの貯蔵室の壁には、各貯蔵室内の温度を保ち、使い勝手よく貯蔵物を出し入れするために、引き出し式の扉、または、前方に開く片開きまたは観音開き式の扉が取り付けられていることが一般的である。そして、冷蔵庫１の底部前方の左右それぞれには、ローラー３と、足取付部４と、調節足５とが取り付けられている。これらは、通常、冷蔵庫１を正面から見た場合に、ほぼ左右対称な位置に取り付けられる。
【０００４】
ローラー３は、冷蔵庫本体２の移動を容易にするため、冷蔵庫本体２の底部に取り付けられている車輪である。ここで「底部」とは、冷蔵庫本体２から床面までの空間をさす。
【０００５】
足取付部４は、冷蔵庫本体２にネジなどにより固定された金属板などである。足取付部４は、冷蔵庫本体２前面より前方に突き出ている。
【０００６】
調節足５は、足取付部４の冷蔵庫本体２前面より突き出た部分に設けられている雌ネジ部に、調整足５の雄ネジ部をねじ込むことにより、足取付部４の前方に取り付けられる。足取付部４の下部から床面までの距離は、調節足５のネジをねじ込む量によって調整できる。冷蔵庫１を設置する際には、左右が水平になるように調節足５をねじ込む量を調整することで、設置された冷蔵庫を安定させることができる。従来、調節足５をユーザが指で回転させることにより、ネジのねじ込み量を変化させ、冷蔵庫の底部の高さを調整していた。
【０００７】
図８は、冷蔵庫１の底部前方の詳細を示す図である。本図に示すように、冷蔵庫１の底部前方には、ローラー３と、足取付部４と、調節足５と、これらを覆う化粧カバー１１が取り付けられている。
【０００８】
化粧カバー１１は、ユーザが足取付部３や調節足４と接触して怪我をすることを防ぐという安全のためと、冷蔵庫１を前方から見た美観を向上させるために取り付けられるカバーである。冷蔵庫１はその最下部に除霜時に生じる水を受ける受け皿を格納するための部位を備え、その部位には化粧カバー１１を嵌め込む穴１２ａが空けられている。化粧カバー１１は、その穴１２ａに化粧カバー１１の突起部１１ａを嵌め込むことにより、冷蔵庫１に取り付けられる。
【０００９】
従来、冷蔵庫１の底部前方の強度を向上させ、化粧カバー１１により外観的に優れたものを提供するため、左右の足取付部４の間に連結金具が取り付けられた冷蔵庫１が提案されている（例えば、特許文献１参照）。
【特許文献１】特開平７−２８０４２０号公報
【発明の開示】
【発明が解決しようとする課題】
【００１０】
しかしながら、従来の技術では、冷蔵庫の使い勝手を向上させ、また、容積効率を向上させる要望に応えることができないという問題がある。ここで、「容積効率」とは、外寸上の体積に対する貯蔵室全体の容積の割合のことをいう。
【００１１】
日本人成人女性の標準的な身長は１５７ｃｍ程度であり、冷蔵庫の高さは家庭用であっても１８０ｃｍ程度である。貯蔵物を確認して取り出す場合や飲料等が詰められた重いペットボトルなどを収納する場合などには、冷蔵庫本体の下方に区分されている貯蔵室の方が、上方に区分されている貯蔵室に比べて使い勝手がよい。したがって、冷蔵庫全体の使い勝手を良くするには、下方の貯蔵室の容積を確保することが有効である。
【００１２】
また、食生活やライフスタイルの変化に伴って、一般家庭において食品等を冷蔵庫で保管される機会が増え、貯蔵室全体の大容量化の要望が強くなっている。しかし、建物の環境等による制約があり、冷蔵庫の設置スペースを広くすることは困難である。したがって、外寸を保ちながら冷蔵庫内部の容積を大きくする、すなわち、容積効率を向上させる必要がある。このような容積効率の向上の要望は、空間の有効活用を図る業務用の冷蔵庫でも同様である。
【００１３】
これらの要望に応えるため、冷蔵庫の底部の高さを低くする様々な工夫が考えられている。例えば、冷蔵庫本体の最下部に取り付けられていた、上記の受け皿は、除霜時の水をコンプレッサの熱で蒸発させることにより、不要となっている。したがって、受け皿を格納するための部位は不要であり、その分、冷蔵庫の底部の高さを下げることが可能となっている。
【００１４】
このように、底部の高さが低い冷蔵庫では、受け皿を収納するための部位が無く、または、底部のスペースが少ない。そのため、化粧カバーの取り付けに利用できる部位やスペースを必要とする従来の技術を、底部の高さが低い冷蔵庫に利用することができない。
【００１５】
化粧カバーは、見た目の品格のみならず、ユーザの安全性にも関わる重要な構成部品であり、冷蔵庫に欠かせない部品である。そのため、化粧カバーの取り付けが、冷蔵庫の底部の高さを下げることによって、冷蔵庫の使い勝手を向上させ、また、容積効率を向上させる際の障害となっている。
【００１６】
また、従来、上記のように、足取付部と床との間に指を挿入し、調節足を指で回転させてねじ込み量を変化させていた。
【００１７】
しかしながら、冷蔵庫の底部の高さを下げると、足取付部と床との間は１センチメートルから２センチメートルになる。そのため、その間に指を挿入することが困難になる。また、指を挿入できる場合でも、調節足を回転させるために指に力を入れることが困難になる。冷蔵庫の底部の高さを下げることによって、このような新たな問題が、冷蔵庫の使い勝手の向上や、容積効率の向上の障害となる。
【００１８】
本発明は、上記の問題を解決するためになされたもので、冷蔵庫の底部を低くすることで使い勝手と容積効率を向上させることが可能な冷蔵庫の提供を目的とし、同時に、化粧カバーの取り付けによる冷蔵庫の安全性の維持と美観維持とが可能な、または、冷蔵庫の底部の容易な高さ調整が可能な冷蔵庫の提供を目的とする。
【課題を解決するための手段】
【００１９】
上記目的を達成するために、本発明に係る冷蔵庫は、貯蔵室を有する本体と、前記本体の底部に固定されており、前記本体の前面より突き出ている足取付部、および、前記足取付部の前記本体の前面より突き出た部分に取り付けられ、前記本体の底面の床からの高さを調節できる調節足を有する脚部とを備える冷蔵庫であって、前記足取付部の前記本体の底面より突き出ている部分に設けられた第１の嵌合部と、自身が有する第２の嵌合部との嵌め合わせにより取り付けられている化粧カバーを備える。
【００２０】
また、上記目的を達成するために、本発明に係る冷蔵庫は、貯蔵室を有する本体と、前記本体の底面に固定されており、前記本体の底面より突き出ている足取付部、および、前記足取付部の前記本体の底面より突き出た部分に螺合し、回転により、前記本体の底面から床までの高さを調節できる調節足を有する脚部とを備える冷蔵庫であって、前記調節足は、前記足取付部の前記本体の底面より突き出た部分よりも、径方向に突き出した突出部を有する。
【発明の効果】
【００２１】
本発明により、冷蔵庫の安全性と美観とを維持しながら、使い勝手と容積効率とを向上させることが可能となる。
【発明を実施するための最良の形態】
【００２２】
請求項１に記載の発明は、貯蔵室を有する本体と、前記本体の底部に固定されており、前記本体の前面より突き出ている足取付部、および、前記足取付部の前記本体の前面より突き出た部分に取り付けられ、前記本体の底面の床からの高さを調節できる調節足を有する脚部とを備える冷蔵庫であって、前記足取付部の前記本体の底面より突き出ている部分に設けられた第１の嵌合部と、自身が有する第２の嵌合部との嵌め合わせにより取り付けられている化粧カバーを備える。
【００２３】
このように、化粧カバーは足取付部に取り付けられる。そのため、本体に化粧カバーを取り付けるための部位を設ける必要はなくなり、本体の底面の床からの高さを下げることができる。したがって、化粧カバーの取り付けによる冷蔵庫の安全性と美観とを維持しながら、本体の底面の床からの高さを下げることによる、使い勝手と容積効率の向上が可能となる。
【００２４】
請求項２に記載の発明は、貯蔵室を有する本体と、前記本体の底面に固定されており、前記本体の底面より突き出ている足取付部、および、前記足取付部の前記本体の底面より突き出た部分に螺合し、回転により、前記本体の底面から床までの高さを調節できる調節足を有する脚部とを備える冷蔵庫であって、前記調節足は、前記足取付部の前記本体の底面より突き出た部分よりも、径方向に突き出した突出部を有するものである。
【００２５】
このように、調節足は、足取付部が本体の底面より突き出た部分よりも、径方向に突き出した回転用の突出部を有する。これにより、本体の底面の床からの高さが低く、足取付部の底面と床との間に指や工具を挿入できない程度であっても、突出部を利用して指や工具により調節足を回転させることができる。したがって、冷蔵庫の底部の容易な高さ調整が可能となり、同時に、冷蔵庫の底部を低くすることで使い勝手と容積効率を向上させることが可能となる。
【００２６】
請求項３に記載の発明は、請求項２に記載の発明において、前記突出部は、さらに、径方向の外縁に、回転軸と平行な方向に突き出た複数の爪を有する。
【００２７】
これにより、突出部の爪に指を掛けることができ、調節足を回転させる際の指の滑りを防止できる。したがって、足取付部の底面と床との間に指を挿入できない程度であっても、指で容易に冷蔵庫の底部の高さを調整することが可能となる。
【００２８】
また、棒状の工具を利用して、突出部に設けられた爪に調節足の回転方向の力を加えることができる。したがって、足取付部の底面と床との間に工具を挿入できない程度であっても、工具を利用して、容易に冷蔵庫の底部の高さを調整することが可能となる。また、工具を利用する場合、てこの原理によって、直接指で調節足を回転させるよりも小さい力で、調節足を回転させることが可能となる。
【００２９】
請求項４に記載の発明は、請求項２に記載の発明において、前記調節足は、雄ネジを有し、当該雄ネジの先端には、当該雄ネジの軸と垂直方向に溝が刻まれているものである。
【００３０】
このように、雄ネジの先端に刻まれた溝に、ドライバーのような工具を取り付けることによって、ドライバーを握って、無理のない姿勢で冷蔵庫の底部にある調節足を回転させることができる。したがって、調節足の上部をふさぐ物がなく、ドライバーを取り付け可能な場合には、ドライバーを利用して容易に冷蔵庫の底部の高さを調整することが可能となる。
【００３１】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３２】
（実施の形態１）
図１は本発明の実施の形態１における冷蔵庫の中央断面図である。本図に示す冷蔵庫１００は、冷蔵庫本体１０１と、冷蔵庫本体１０１の開口部を覆う扉１０２、１０６、１１０、１１４、１１８と、底部前方の脚部１２２とを備える。
【００３３】
冷蔵庫本体１０１は、図８を参照して説明した冷蔵庫本体２と同様に、冷蔵室や冷凍室等の複数の区画に区分された貯蔵室を内部に有する。各貯蔵室は、断熱性部材で区分されている。本図に示す冷蔵庫本体１０１の貯蔵室は、上から、観音開きの回転式扉１０２が取り付けられた冷蔵室１０４と、その下に左右方向に並べて設けられた、引き出し式の扉１０６が取り付けられた製氷室１０８、および、引き出し式の扉１１０が取り付けられ、ユーザが温度帯を設定できる特定冷却室１１２と、さらにこれらの下に、引き出し式の扉１１４が取り付けられた野菜室１１６と、さらにその下に、引き出し式の扉１１８が取り付けられた冷凍室１２０とを有する。
【００３４】
冷蔵庫１００の底部前方にある脚部１２２は、ローラーと、足取付部と、調節足とから構成される。また、本図は、説明のため、脚部１２２の前面および側面を覆う化粧カバーを取り外した状態を示す。脚部１２２の詳細については、図２を参照して説明する。
【００３５】
図２は本発明の実施の形態１における冷蔵庫の底部前方の脚部の詳細図である。図２（ａ）は図１のＡ−Ａ線断面の詳細な正面図であり、図２（ｂ）は冷蔵庫の底部前方の脚部の詳細な側面図であり、図２（ｃ）は図１のＡ−Ａ線断面の詳細な斜視図である。図２（ａ）、図２（ｂ）および図２（ｃ）は、説明のため、図１に示す扉１１８を取り外した状態を示す。
【００３６】
脚部１２２は、ローラー１５３と、足取付部１５４と、調節足１５５とを備える。本図に示す冷蔵庫１００の底部前方には、さらに、脚部１２２を覆う化粧カバー１６１が取り付けられている。
【００３７】
ローラー１５３は、図８を参照して説明したローラー３と同様であるため、ここでの説明は省略する。
【００３８】
足取付部１５４は、図８を参照して説明した足取付部４と同様に、冷蔵庫本体１０１にネジなどにより固定された板である。足取付部１５４は、構造上、冷蔵庫本体１０１の重量を支えられるだけの剛性を備えていればよく、例えば、金属板であるが、その材料は金属に限られず、また、形状は板状に限られない。
【００３９】
また、足取付部１５４は、図８を参照して説明した足取付部４と同様に、冷蔵庫本体１０１の前面より突き出ている。本発明の実施の形態の足取付部１５４は、後述する化粧カバー１６１を取り付けるための嵌合部１５４ａを有する。本実施の形態の足取付部１５４の嵌合部１５４ａは、図示するように、冷蔵庫本体１０１の前面より突き出ている部分の一部に設けられた穴である。
【００４０】
調節足１５５は、図８を参照して説明した調節足５と同様に、足取付部１５４が冷蔵庫本体１０１の前面より突き出た部分に設けられている雌ネジ部に、調整足１５５をねじ込むことにより、足取付部１５４の前方に取り付けられる。
【００４１】
冷蔵庫本体１０１の底面から床までの高さは、調節足１５５をねじ込む量によって調整できる。冷蔵庫１００を設置する際には、左右水平となるように、調節足１５５のねじ込み量を調整することによって、設置された冷蔵庫を安定させることができ、また、扉１０２、１０６、１１０、１１４および１１８をスムーズに開閉することができる。
【００４２】
図２（ｃ）は、調節足１５５が最もねじ込まれた状態を示す。本図に示す状態では、冷蔵庫本体１０１は、底部に取り付けられた左右のローラー１５３により、冷蔵庫１００の前方に掛かる重量が支えられている。本図に示す状態から、調節足１５５を回転させ、ねじ込み量を減少させることによって、調節足１５５の底が床２００に接することとなり、冷蔵庫１００の前方に掛かる重量は、ローラー１５３に代わって、調節足１５５とそれが取り付けられている足取付部１５４とにより、支えられる。
【００４３】
化粧カバー１６１は、脚部１２２の冷蔵庫本体１０１より前方に突き出た部分の前方や上方、側方を覆う部材であり、樹脂や金属で作られている。これにより、脚部１２２を正面および横から見えなくすることで、冷蔵庫の美観を向上させることが可能になるとともに、足取付部１５４や調節足１５５の冷蔵庫本体１０１から突き出た部分の突起や角がユーザの足などに接触することによる怪我を防止することが可能になる。
【００４４】
図３は、本実施の形態における冷蔵庫の一部を切り欠いた化粧カバーを示す図である。本発明の実施の形態の化粧カバー１６１は、足取付部１５４の嵌合部１５４ａと嵌め合わせ可能な嵌合部１６１ａと、足取付部１５４の下面を支える支承部１６１ｂとを有している。本実施の形態の化粧カバー１６１の嵌合部１６１ａは、図示するように、足取付部１５４の嵌合部１５４ａである穴に嵌め合わせることができる突起である。また、本実施の形態の支承部１６１ｂは、左右の足取付部１５４の下面を支える突起を有することにより、化粧カバー１６１を固定し、脚部１２２から外れ難くしている。
【００４５】
このように、化粧カバー１６１は足取付部１５４に取り付けられる。そのため、従来、化粧カバー１６１は、例えば、冷蔵庫本体の最下部の除霜時の水を受ける受け皿を収納する部位に化粧カバー取り付け用の穴を設け、その穴に化粧カバーに設けられた突起を嵌め合わせることにより取り付けられていたが、このような冷蔵庫本体に化粧カバーを取り付けるための部位がなくても、冷蔵庫に化粧カバーを取り付けることができる。そのため、化粧カバーを取り付けるために必要であった従来の冷蔵庫の底部の高さが不要となり、冷蔵庫の底部の高さを従来のものより低くすることができる。したがって、下方の貯蔵室の容積を大きくすることができ、冷蔵庫の使い勝手を向上させ、また、容積効率を向上させることが可能となる。
【００４６】
なお、本実施の形態では、足取付部１５４に設けられた穴である嵌合部１５４ａと、化粧カバー１６１に設けられた突起である嵌合部１６１ａとにより、化粧カバー１６１が足取付部１５４に取り付けられることとしたが、化粧カバー１６１は、前後左右にズレない程度に固定できる嵌め合わせにより取り付けられていればよい。例えば、化粧カバーの内側に、足取付部１５４を左右から挟み込む形状の嵌合部を設け、その嵌合部により足取付部１５４を挟むことによって、化粧カバーが取り付けられてもよい。
【００４７】
（実施の形態２）
このように、化粧カバーを足取付部に取り付けることで、冷蔵庫の底部を低くすることができるようになると、調節足のねじ込みが従来の方法では困難になるという、新たな課題が生じる。次に、冷蔵庫の底部を低くしても調節足を容易にねじ込むことが可能な調節足について、図４から図６までを参照して説明する。
【００４８】
以下に説明する調節足は、これまで説明した実施の形態の続きである。すなわち、冷蔵庫１００の構成や、脚部１２２の構成、足取付部１５４の構造は、図１から図３までを参照して説明した上記の冷蔵庫と同様である。
【００４９】
図４は本発明の実施の形態２における調節足の詳細図である。図４（ａ）は、化粧カバーが取り付けられていない冷蔵庫の底部前方の詳細を示す斜視図である。図４（ｂ）は、調節足のみの斜視図である。
【００５０】
図４（ａ）に示すように、本発明の実施の形態の調節足１５５は、足取付部１５４が冷蔵庫本体１０１の前面から突き出た部分よりも、その径方向に突き出している。
【００５１】
足取付部１５４の下部と床との間に、指を挿入させる空間がなく、または、回転力を加えられるだけの空間がない場合であっても、このように回転足１５５に径方向に突き出た部分を設けることによって、ユーザは調節足１５５の突き出た部分に指を掛けることができ、調節足１５５を指で回転させることが可能となる。
【００５２】
また、本発明の実施の形態の調節足１５５の径は、径方向に突き出でいない従来の調節足よりも大きい。そのため、従来と同じ程度の力でより大きなトルクをネジにかけることができる。したがって、冷蔵庫の底部の高さの容易な調整が可能となる。
【００５３】
このような調節足１５５の詳細を、図４（ｂ）を参照して説明する。本図に示す調節足１５５は、底板１５５ａと、雄ネジ部１５５ｂと、爪１５５ｃとを有する。
【００５４】
底板１５５ａは、冷蔵庫１００設置時にその下面部が床と接する。底板１５５ａの素材は、例えば、金属や樹脂である。
【００５５】
雄ネジ部１５５ｂは、底板１５５ａに固着され、または底板１５５ａと一体形成された雄ネジである。雄ネジ部１５５ｂの素材は、例えば、金属や樹脂である。
【００５６】
本図に示すように、雄ネジ部１５５ｂの先端には、雄ネジの軸と垂直方向に溝が刻まれている。この溝に、マイナスドライバのような工具を取り付ける。ドライバーの場合、手の平で握りしめながら回転力を加えることができる。また、ドライバーの場合、ユーザは通常の座った状態に近い姿勢でドライバーに力を加えて、調節足を回転させることができるため、調節足１５５を指で挟んで調節足を回転させるよりも、力を入れ易い姿勢で作業できる。そのため、扉１１８が取り外され、調節足の上部をふさぐ物がない場合には、調節足１５５に指で直接力を加えて回転させるよりも、調節足１５５を回転させ易くすることができ、ユーザが容易に冷蔵庫１００の底部の高さを調整することが可能となる。
【００５７】
爪１５５ｃは、底板１５５ａの外周に複数設けられた突起である。爪１５５ｃの素材は、例えば、金属などである。
【００５８】
調節足１５５を指で回転させる場合には、爪１５５ｃに指を掛けることにより、ネジを回転させる際の指の滑りを防止でき、回転させる力を加え易くなり、冷蔵庫１００の底部の高さの調整が容易になる。
【００５９】
また、爪１５５ｃを利用して工具を取り付け、その工具により調節足１５５を回転させることもできる。
【００６０】
図５は、本実施の形態における調節足に六角レンチを取り付けた状態を示す図である。本図に示すように六角レンチは、寝かせた状態で底板１５５ａ上に置き、水平方向に棒の一端に力を加えたとき爪１５５ｃに掛かるように取り付けられる。このように取り付けた六角レンチの一端に、水平方向に、すなわち、図の矢印の方向に力を加えることにより、調節足１５５は回転する。
【００６１】
このように工具を利用して回転させることができるため、てこの原理によって、調節足１５５に指で直接力を加えて回転させるより小さな力で、調節足１５５を回転させることができ、ユーザが容易に冷蔵庫１００の底部の高さを調整することが可能となる。
【００６２】
なお、これらの工具取付部に取り付けられる工具は、上記のように、調節足１５５を回転させる力を加えられるだけの剛性を備えた棒状の部材であればよい。
【００６３】
このように、調節足１５５に、足取付部１５４が冷蔵庫本体１０１の前面から突き出た部分よりも径方向に突き出した部分である突出部を設け、さらに、突出部に爪１５５ｃを設けることによって、足取付部１５４と床との間が工具が入らない程の狭さであっても、工具を取り付けて調節足１５５を回転させることができ、ユーザが容易に冷蔵庫１００の底部の高さを調整することが可能となる。
【００６４】
以上、本発明の一実施の形態について説明したが、本発明は、この実施の形態に限定されるものではない。
【００６５】
例えば、調節足の形状は、図６のような形であってもよい。図６は、調節足の形状の一変形例を示す図である。本図に示す調節足１６０は、底板１６０ａと、雄ネジ部１６０ｂと、指掛け部１６０ｃとを有する。底板１６０ａと、雄ネジ部１６０ｂとは、実施の形態の調節足１５５と同様であるため、ここでの説明は省略する。
【００６６】
本図に示す指掛け部１６０ｃは、実施の形態の調節足１５５の爪１５５ｃに代わる部位である。指掛け部１６０ｃは、底板１６０ａの上に固着または一体形成されており、その外周が足取付部よりも径方向に突き出た星型の形状をしている。
【００６７】
このような指掛け部１６０ｃを有することによって、調節足１５５を指で回転させる際に、ユーザは指掛け部１６０ｃの径方向に突き出た部分に指を掛けることができる。これにより、ネジを回転させる際の指の滑りを防止でき、回転させる力を加え易くなり、冷蔵庫１００の底部の高さの調整が容易になる。
【産業上の利用可能性】
【００６８】
本発明の冷蔵庫は、利用者の腰や肩への負担が掛かりにくい、立ち姿で楽に作業できる領域に日常使用頻度の高い収納物を収納するスペースを配置できるので使い勝手に優れ、併せて大容量化を図ることもできるので、家庭用の冷蔵庫に限らず、業務用の大型冷蔵庫および冷凍庫やショーケースといった冷凍機器にも適用できる。
【図面の簡単な説明】
【００６９】
【図１】本発明の実施の形態１における冷蔵庫の中央断面図
【図２】（ａ）同実施の形態における図１のＡ−Ａ線断面の詳細な正面図（ｂ）同実施の形態における冷蔵庫の底部化粧カバー内の脚部を示す詳細な側面図（ｃ）同実施の形態における図１のＡ−Ａ線断面の詳細な斜視図
【図３】同実施の形態における冷蔵庫の一部を切り欠いた化粧カバーを示す図
【図４】（ａ）本発明の実施の形態２における化粧カバーが取り付けられていない冷蔵庫の底部前方の詳細を示す斜視図（ｂ）同実施の形態における調節足のみの斜視図
【図５】同実施の形態における調節足に六角レンチを取り付けた状態を示す図
【図６】調節足の形状の一変形例を示す図
【図７】従来の冷蔵庫を横から見た外観を示す図
【図８】従来の冷蔵庫の底部前方の詳細を示す図
【符号の説明】
【００７０】
１００  冷蔵庫
１０１  冷蔵庫本体
１０２、１０６、１１０、１１４、１１８  扉
１０４、１０８、１１２、１１６、１２０  貯蔵室
１２２  脚部
１５３  ローラー
１５４  足取付部
１５５  調節足
１６１  化粧カバー
２００  床
【図１】
2008069999.tif 000003
【図２】
2008069999.tif 000004
【図３】
2008069999.tif 000005
【図４】
2008069999.tif 000006
【図５】
2008069999.tif 000007
【図６】
2008069999.tif 000008
【図７】
2008069999.tif 000009
【図８】
2008069999.tif 000010